(57)【要約】      （修正有）【課題】強力な磁石をそのまま水に直接接触させて、磁化効率を挙げることができ、しかも、水蛇口に簡単に取付けができ、さらに、メンテナンスが簡単な活水器を提供する。【解決手段】活水器１０は、水蛇口に取り付ける容器１からなり、この容器１は、頂部には水蛇口ａを挿入するための開口１１を設けた本体２と、その本体２の下端開口に嵌合した排出水の勢いを調整するためのスカート部材３からなる。フィルター１３の下方には、棚部材１４が配置され、この棚部材１４にレアアース系の球状磁石４が充填載置される。【選択図】図１
0003103143.tif 000002
【実用新案登録請求の範囲】
【請求項１】
球状磁石を容器に詰め込み、この容器を水蛇口に取付け、しかも被処理水が自由に通過できる構造とした磁力を利用した活水器。
【請求項２】
頂部に水蛇口を挿入するための開口を設けた本体と、その本体の下端に取り付けられたスカート部材からなる容器からなり、
前記本体内にフィルターと棚部材が配置されており、
前記棚部材に球状磁石を載置した磁力を利用した活水器。
【請求項３】
頂部には水蛇口を挿入するための開口を設けた本体と、その本体の下端に取り付けられたスカート部材からなり、
前記本体内に球状磁石を詰め込んだ磁力を利用した活水器。
【考案の詳細な説明】
【技術分野】
【０００１】
本考案は、水の磁気処理、すなわち、汚濁した水を高磁場の中を通過させることによって赤水（サビ）、スケール、スライム等を除去し、また水自体を磁化していわゆる磁化水を得るための活水器に関する。
【背景技術】
【０００２】
磁力を利用した活水器は、特許文献に多く開示されている。例えば、特許文献１には、水の流路内の水流を上下方向に蛇行せしめ得る磁石板からなる隔壁を配設し、その隔壁間に水の蛇行流を疎外しない状態にセラミックボール等を配置し、水道水を構成する水の分子を磁束によって切断すると共に、セラミックボール等によりカルキ分や不純物質を吸着させて旨味を向上せしめる水道水処理構造が開示されている。
【０００３】
また、特許文献２には、蛇口から流出する水道水が通過可能な流水空間を有するホルダー体に、流水空間に通過する水道水を活性化するための永久磁石を配置し、そのホルダー体を上記蛇口の先端に挟着保持可能にして、水道水使用の状況に応じて、装脱を簡単に繰り返すことができ、使用の利便性を高めた構造のものが開示されている。
【０００４】
また、特許文献３には、本体の内周面には高さ方向に位置したＮ極を露出させた状外側固定磁石が設けてあり、底面中央に突出する水流ガイド部にはＮ極を露出させた状態で内側固定磁石が設けられ、本体１内には粒径２〜４ｍｍの粒状トルマリンとＳ極を露出させた磁石転動体が収容された活水器が開示されている。
【０００５】
さらに、特許文献４には、水道蛇口の吐水パイプの間に狭窄部を設け、パイプ外に磁石を配した構造のものが示されている。
【特許文献１】特開平１０−９９８６５号公報
【特許文献２】特開２０００−２６３０６０号公報
【特許文献３】特開２０００−２５４６５６号公報
【特許文献４】特開２００３−２０５２９２号公報
【考案の開示】
【考案が解決しようとする課題】
【０００６】
しかしながら、従来の活水器の基本的な構造は何れも水の供給配管の途中のパイプの両側から、磁石の両極をパイプを挟み込むように取付けられたものであって、必然的に鉄パイプに磁力が漏れ、パイプを通過する水に対する磁力付与の効果は十分ではなく、その取り付けも複雑であるという問題がある。
【０００７】
本考案において解決しようとする課題は、強力な磁石をそのまま水に直接接触させて、磁化効率を挙げ、しかも、水蛇口に簡単に取付けができ、さらに、メンテナンスが簡単な活水器を提供することにある。
【課題を解決するための手段】
【０００８】
本考案は、球状磁石を容器に詰め込み、この容器を水道水または井戸水の蛇口の出口に取付け、しかも被処理水が自由に通過できる構造としたことによって上記課題を解決した。
【０００９】
磁力発生体として、レアー・アース系のような強力な磁性体からなる直径が５ｍｍから１０ｍｍ程度の強力な球状磁石の体を容器に詰め込むことによって、それぞれの球状体の隙間に非常に高い磁場を得ることができる。そして、その球状体の隙間に水を通過させることによって、通過する水の全容量が高磁場に接触して、水中の汚染物を高い効率で分離排除できるとともに、通過水が高磁場の影響を受けて、水が活性化する。
【考案の効果】
【００１０】
本考案に係る活水器は、極めて簡単な水蛇口に取り付けるだけの構造で、水を浄化するとともに、健康に好ましい磁化水を創りだすことができる。
【考案を実施するための最良の形態】
【００１１】
本願考案の実施の形態を以下の実施例によって説明する。
【実施例１】
【００１２】
図１は、第１の実施例に係る活水器を縦断面によって示す図である。同図において、１０は本考案に係る活水器であって、水蛇口ａに取り付けた状態を示す。
【００１３】
活水器１０は、強化ガラス製または非磁性の強力プラスチックからなる容器１からなり、この容器１は、頂部には水蛇口ａを挿入するための開口１１を設けた本体２と、その本体２の下端開口に嵌合した排出水の勢いを調整するためのスカート部材３からなる。
【００１４】
容器本体１の開口１１には挿入した水蛇口ａと固定するためのジョイント１２が設けられている。
【００１５】
容器本体１の内部上方には水蛇口ａから導入された水をろ過するとともに、水流を調整する機能を有するフィルター１３が配置されている。
【００１６】
このフィルター１３としては、通常の繊維素材単味または繊維素材にトルマリン微粉末を混ぜたろ過材が使用できる。
【００１７】
このフィルター１３の下方には、フィルター１３とは間隔をおいて、球状磁石４を載置するための多孔板からなる棚部材１４が配置されている。
【００１８】
この棚部材１４上に配置する球状磁石４としては、それぞれが、１０ｍｍ程度の径を持ち、６，０００ガウス程度の磁力を有するレアー・アース系の球形磁石４を、３〜１０個程度を棚部材１４上に載置し充填する。この球状磁石４は水の導入によって転動するが、フィルター１３と棚部材１４の間の空間を転動するものであるので、球状磁石４を保持するための格別の機構は必要としない。また、この転動によって個々の磁極は変動するが、全体の磁化能に格別の影響があるものでもない。また、この充填した球状磁石中にはセラミックボール等を混合して、フイルターの機能も具備させることもできる。
【００１９】
この活水器を、金気の多い井戸水の簡易水道に適用したところ、金気の７０％が除去され、無臭の磁化水が得られた。
【実施例２】
【００２０】
図２は、本考案の活水器の第２の実施例２０を示す。この例の場合は、処理水の予備処理のためのフィルターをなくし、且つ、被処理水と球状磁石と接触の度合いを増し、球状磁石による処理水の磁化機能を増大したものである。
【００２１】
この例の場合も、実施例１と同様に、活水器２０は、非磁性プラスチックからなる容器１からなり、この容器１は、頂部には水蛇口ａを挿入するための開口１１を設けた本体２と、その本体２の下端開口に嵌合した排出水の勢いを調整するためのスカート部材３を有する。
【００２２】
本体２内の下方位置に配置された棚部材１４の上方には、球状磁石４を収納するための非磁性材からなる処理水を透過できる半円球状の充填容器１５が取り付けられている。この半円球状の充填容器１５には、球状磁石４を多く深く充填できるので、この充填された球状磁石４の間隙を通過する処理水は球状磁石の間に形成される磁界域に長く留まることになるので、処理水をより強く磁化することができる。
【産業上の利用可能性】
【００２３】
本考案の活水器は、各種の飲料水の処理だけではなく、軽度に汚染された工業廃水の浄化にも十分に適用できる。
【図面の簡単な説明】
【００２４】
【図１】本考案の活水器の第１の実施例を示す。
【図２】本考案の活水器の第２の実施例を示す。
【符号の説明】
【００２５】
１０，２０  本考案の活水器
１  容器
１１  開口        １２  ジョイント    １３  フィルター
１４  棚部材      １５  球状磁石充填容器
２  容器本体
３  スカート部材  
４  球状磁石
ａ   水蛇口
【図１】
0003103143.tif 000003
【図２】
0003103143.tif 000004